(57)【要約】  少なくとも１つのマークを有する眼科レンズ（２０）におけるブロッキング装置の位置を監視するためのシステムは、−ブロッキング装置と協力するように適合された機械的構造と、−眼科レンズ（２０）を観察する画像センサ（４）と、−画像センサ（４）に接続された制御ユニット（１０）であって、機械的構造に対する決定された位置を備えた基準点と、前記マークを含む眼科レンズ（２０）の少なくとも一部と、を有する画像を生成するように構成された制御ユニット（１０）と、−画像上の基準点とマークとの間の距離の、所定の閾値に対する比較に基づいて、自動位置補正又は手動位置補正用のブロッキング装置位置補正提案を表示するように適合されたユーザインターフェース（１２）と、を含む。対応する方法及び眼科レンズを縁取りするための方法もまた提案される。
2020536267.tif 000002
【特許請求の範囲】
【請求項１】
少なくとも１つのマーク（Ｍ）を有する眼科レンズ（２０）におけるブロッキング装置（２２）の位置を監視するためのシステムであって、
−  前記ブロッキング装置（２２）と協力するように適合された機械的構造（８）と、
−  前記眼科レンズ（２０）を観察する画像センサ（４）と、
−  前記画像センサ（４）に接続された制御ユニット（１０）であって、前記機械的構造（８）に対する決定された位置を備えた基準点（Ｐ）と、前記マーク（Ｍ）を含む前記眼科レンズ（２０）の少なくとも一部と、を有する画像を生成するように構成された制御ユニット（１０）と、
−  前記画像上の前記基準点（Ｐ）と前記マーク（Ｍ）との間の距離（Ｄ）の、所定の閾値（Ｔ２）に対する比較に基づいて、自動位置補正（Ｃ）又は手動位置補正用のブロッキング装置位置補正提案（Ｃ）を表示するように適合されたユーザインターフェース（１２）と、
を含むシステム。
【請求項２】
前記ユーザインターフェース（１２）が、位置補正入力を表すユーザ入力を受信するように、且つ前記位置補正入力及び前記マーク（Ｍ）の実際の位置に基づいて決定された仮想位置において前記マーク（Ｍ）の表現を表示するように更に構成される、請求項１に記載のシステム。
【請求項３】
前記仮想位置が、前記位置補正入力に従って、前記実際の位置をシフトすることによって決定される、請求項２に記載のシステム。
【請求項４】
前記ユーザインターフェース（１２）が、前記画像上の前記基準点と前記マークとの間の前記距離を低減するように構成された位置補正として、前記位置補正入力に由来する位置補正行動を格納するためのユーザコマンドを受信するように構成される、請求項２又は３に記載のシステム。
【請求項５】
前記位置補正行動が、ＲＦＩＤチップに格納される、請求項４に記載のシステム。
【請求項６】
前記位置補正入力に基づいたデータを縁取り装置（１４）に送信するために通信回路（１５）を含む、請求項２〜５のいずれか一項に記載のシステム。
【請求項７】
前記位置補正入力が、平行移動補正又は回転補正を含む、請求項２〜６のいずれか一項に記載のシステム。
【請求項８】
前記画像上の前記基準点（Ｐ）と前記マーク（Ｍ）との間の前記距離が、前記所定の閾値（Ｔ２）未満である場合に、前記ユーザインターフェースが、行動提案を表示するように適合される、請求項１〜７のいずれか一項に記載のシステム。
【請求項９】
前記所定の閾値（Ｔ２）が、前記眼科レンズに関係するデータに基づいて決定される、請求項１〜８のいずれか一項に記載のシステム。
【請求項１０】
前記眼科レンズ（２０）が、フレームに装着するためのものであり、前記所定の閾値（Ｔ２）が、前記フレームに関係するデータに基づいて決定される、請求項１〜９のいずれか一項に記載のシステム。
【請求項１１】
少なくとも１つのマーク（Ｍ）を有する眼科レンズ（２０）におけるブロッキング装置（２２）の位置を監視するための方法であって、次のステップ、
−  前記ブロッキング装置（２２）を眼科レンズ（２０）に装着するステップと、
−  前記眼科レンズ（２０）の少なくとも一部を観察する画像センサ（４）を用いて、前記マーク（Ｍ）を含む少なくとも１つの画像を生成するステップであって、前記画像が、前記ブロッキング装置（２２）と協力するように適合された機械的構造（８）に対する決定された位置を備えた基準点（Ｐ）を有するステップと、
−  前記基準点（Ｐ）と前記マーク（Ｍ）との間の距離（Ｄ）を所定の閾値（Ｔ２）と比較するステップと、
−  前記比較に基づいて、自動位置補正（Ｃ）又は手動位置補正用の位置補正提案をユーザインターフェース（１２）上に表示するステップと、
を含む方法。
【請求項１２】
−  前記ユーザインターフェース（１２）を介して、位置補正入力を表すユーザ入力を受信するステップと、
−  前記位置補正入力及び前記マークの実際の位置に基づいて決定された仮想位置において前記マークの表現を前記ユーザインターフェース（１２）上に表示するステップと、
を含む、請求項１１に記載の方法。
【請求項１３】
前記ユーザインターフェース（１２）を介して特定のコマンドを受信すると、前記基準点（Ｐ）と前記マーク（Ｍ）との間の前記距離を低減するために必要とされる位置補正として、前記位置補正入力に由来する位置補正行動を格納するステップを含む、請求項１２に記載の方法。
【請求項１４】
以前に決定された位置補正値に基づいて、前記所定の閾値を決定するステップを含む、請求項１１〜１３のいずれか一項に記載の方法。
【請求項１５】
ブロッキング装置（２２）に装着された眼科レンズ（２０）を縁取りする方法であって、以下のステップ、
−  請求項１１〜１４のいずれか一項に記載の方法を用いて、前記ブロッキング装置（２２）における前記眼科レンズ（２０）の前記装着から生じる位置補正を決定するステップであって、前記位置補正が、前記位置補正提案に基づくステップと、
−  前記ブロッキング装置（２２）と協力するように適合された縁取り装置（１４）を用いて、輪郭に沿って前記眼科レンズ（２０）を縁取りするステップであって、前記輪郭が、前記決定された位置補正に基づいて決定されるステップと、
を含む方法。
【発明の詳細な説明】
【技術分野】
【０００１】
本発明は、眼科レンズの製造、即ち、特にこれらの眼科レンズが、フレームに装着されることになる場合の眼科レンズの製造に関する。
【０００２】
より正確には、本発明は、ブロッキング装置の位置を監視するためのシステム及び方法に関し、且つ眼科レンズを縁取りする方法に関する。
【背景技術】
【０００３】
（特許文献１）において、マークを有する、且つ支持体に装着された眼科レンズは、観察されたマークと支持体に連結された位置基準との間の起こり得る差を自動的に評価するために、画像捕捉装置によって観察される。
【０００４】
従って、自動的に決定された差は、恐らく警報を生成するために、閾値と比較される。閾値との比較の結果に依存して、差は、例えば眼科レンズの表面を仕上げている場合に考慮されるように、装置へ送信されてもよい。
【０００５】
この方法は、完全に満足を与えるわけではない。何故なら、測定及び決定の自動化が、差を無視するか、又は眼科レンズの処理のために考慮されなければならない指示を調整する可能性をユーザに提供しないからである。
【先行技術文献】
【特許文献】
【０００６】
【特許文献１】国際公開第２０１３／０８８  ０２１号パンフレット
【発明の概要】
【発明が解決しようとする課題】
【０００７】
従って、眼科レンズにおけるブロッキング装置の位置を効率的に且つ容易に監視するためのシステム及び方法を提供する必要性が、今もなお存在する。
【０００８】
本発明の１つの目標は、先行技術の欠点の少なくとも１つを克服することである。
【課題を解決するための手段】
【０００９】
一態様において、本発明は、少なくとも１つのマークを有する眼科レンズにおけるブロッキング装置の位置を監視するためのシステムであって、
−  ブロッキング装置と協力するように適合された機械的構造と、
−  眼科レンズを観察する画像センサと、
−  画像センサに接続された制御ユニットであって、機械的構造に対する決定された位置を備えた基準点と、前記マークを含む眼科レンズの少なくとも一部と、を有する画像を生成するように構成された制御ユニットと、
−  画像上の基準点とマークとの間の距離の、所定の閾値に対する比較に基づいて、自動位置補正又は手動位置補正用のブロッキング装置位置補正提案を表示するように適合されたユーザインターフェースと、
を含むシステムを提案する。
【００１０】
従って、ユーザは、レンズに対するブロッキング装置の可能な間違った位置決めを補正するように意図された位置補正提案を容易に把握する（且つ恐らく受諾するか又は反対に拒否する）ことができる。
【００１１】
提案される方法はまた、次の特徴のいずれを含んでもよい。
−  ユーザインターフェースは、位置補正入力を表すユーザ入力を受信するように、且つ位置補正入力及び前記マークの実際の位置に基づいて決定された仮想位置において前記マークの表現を表示するように更に構成される。
−  前記仮想位置は、位置補正入力に従って、前記実際の位置をシフトすることによって決定される。
−  ユーザインターフェースは、画像上の基準点とマークとの間の距離を低減するように構成された位置補正として、位置補正入力に由来する位置補正行動を格納するためのユーザコマンドを受信するように構成される。
−  位置補正行動は、ＲＦＩＤチップに格納される。
−  システムは、位置補正入力に基づいたデータを縁取り装置に送信するために通信回路を含む。
−  位置補正入力は、平行移動補正又は回転補正を含む。
−  ユーザインターフェースは、画像上の基準点とマークとの間の距離が、前記所定の閾値未満である場合に、行動提案を表示するように適合される。
−  前記所定の閾値は、眼科レンズに関係するデータに基づいて決定される。
−  前記眼科レンズは、フレームに装着するためのものである。
−  前記所定の閾値は、フレームに関係するデータに基づいて決定される。
【００１２】
本発明はまた、少なくとも１つのマークを有する眼科レンズにおけるブロッキング装置の位置を監視する方法であって、次のステップ、
−  ブロッキング装置を眼科レンズに装着するステップと、
−  眼科レンズの少なくとも一部を観察する画像センサを用いて、前記マークを含む少なくとも１つの画像を生成するステップであって、画像が、ブロッキング装置と協力するように適合された機械的構造に対する決定された位置を備えた基準点を有するステップと、
−  基準点とマークとの間の距離を所定の閾値と比較するステップと、
−  前記比較に基づいて、自動位置補正又は手動位置補正用の位置補正提案をユーザインターフェース上に表示するステップと、
を含む方法を提供する。
【００１３】
この方法はまた、
−  前記ユーザインターフェースを介して、位置補正入力を表すユーザ入力を受信するステップと、
−  位置補正入力及び前記マークの実際の位置に基づいて決定された仮想位置において、前記マークの表現を前記ユーザインターフェース上に表示するステップと、
を含む。
【００１４】
方法はまた、ユーザインターフェースを介して特定のコマンドを受信すると、基準点とマークとの間の距離を低減するために必要とされる位置補正として、位置補正入力に由来する位置補正行動を格納するステップを含んでもよい。
【００１５】
方法はまた、以前に決定された位置補正値に基づいて、前記所定の閾値を決定するステップを含んでもよい。例えば、ユーザの以前の選択に依存して、閾値は、ユーザの習慣とよりよく一致するように発展してもよい。
【００１６】
本発明はまた、ブロッキング装置に装着された眼科レンズを縁取りする方法であって、以下のステップ、
−  上記の方法を用いて、ブロッキング装置における眼科レンズの装着から生じる位置補正を決定するステップであって、前記位置補正が、位置補正提案に基づくステップと、
−  ブロッキング装置と協力するように適合された縁取り装置を用いて、輪郭に沿って眼科レンズを縁取りするステップであって、前記輪郭が、決定された位置補正に基づいて決定されるステップと、
を含む方法を提供する。
【００１７】
本発明は、添付の図面に照らして一層よく理解されよう。
【図面の簡単な説明】
【００１８】
【図１】本発明によるシステムの主な要素を概略的に示す。
【図２】本発明を具体化する方法の主なステップを示す。
【図３】図１のシステムの詳細図である。
【図４】図１のシステムのユーザインターフェース上に表示された第１の例示的なスクリーンを示す。
【図５】このユーザインターフェース上に表示された第２の例示的なスクリーンを示す。
【発明を実施するための形態】
【００１９】
図１に示されているシステムは、チェック装置２、制御ユニット１０（プロセッサなど）、ユーザインターフェース１２、通信回路１５、及び縁取り装置１４を含む。
【００２０】
チェック装置２は、制御ユニット１０に接続された画像センサ４と、支持体６と、を含む。支持体６は、レンズ２０を保持するように構成され、且つレンズ２０によって保持されるブロッキング装置２２と協力するように適合された機械的構造８を含む。（一般に、ブロッキング装置２２は、センタリング装置によってレンズ２０に前もって装着される。代替として、ブロッキング装置２２の装着は、以下で説明されるように、画像の生成に先立つ第１のステップにおいて、チェック装置自体において行うことができる。）
【００２１】
画像センサ４は、レンズ２０、特にマークＭを保持するレンズ２０の一部を観察するために、支持体６の方へ向けられる。
【００２２】
制御ユニット１０は、画像センサ４によって捕捉された画像を受信し、従って、捕捉画像は、レンズ２０の少なくとも一部及びマークＭを含む。
【００２３】
制御ユニット１０は、以下で更に説明されるように、ユーザを意図した情報の、ユーザインターフェース１２における表示を制御するように、且つユーザインターフェース１２を介してユーザ入力を受信するようにプログラムされる。
【００２４】
本実施形態において、ユーザインターフェース１２は、キーボード１６及びスクリーン１８を含む。可能な変形によれば、ユーザインターフェース１２は、触覚スクリーンであってもよい。
【００２５】
図２は、図１のシステムで恐らく実行される方法の主なステップを示す。
【００２６】
この方法は、図３に概略的に示されているように、チェック装置２の支持体６上にレンズ２０を配置するようにユーザに依頼する情報をユーザインターフェース１２（ここではスクリーン１８）に表示することによって、ステップＳ２で始まり、ブロッキング装置２２は、機械的構造８と協力する。
【００２７】
従って、ユーザは、ブロッキング装置２２が、機械的構造８と協力する（又は係合する）ような方法で、支持体６にレンズ２０を配置する。
【００２８】
チェック装置２に対するブロッキング装置２２の位置及び方位が、ブロッキング装置２２及び機械的構造８が互いに係合する場合に周知であるように、機械的構造８は、ブロッキング装置２２及び機械的構造８の正確な係合が１つの相対的位置及び方位だけで可能なように構成される。
【００２９】
次に、画像センサ４は、レンズ２０及びブロッキング装置２２が、支持体６によって保持されているときに、レンズ２０及びブロッキング装置２２の画像を捕捉する（ステップＳ４）。上記で言及したように、レンズ２０は、マークＭを保持し、従ってマークＭもまた、画像センサ４によって捕捉された画像に存在する。
【００３０】
画像センサ４は、支持体６に対して固定される。従って、機械的構造８及び従ってブロッキング装置２２の位置及び方位は、捕捉画像上で周知である（予め決定される）。しかしながら、捕捉画像におけるレンズ２０及びそのマークＭの位置及び方位は、ブロッキング装置２２におけるレンズ２０の実際の位置決めに依存する。
【００３１】
制御ユニット１０は、画像センサ４から捕捉画像を受信し、且つユーザインターフェース１２上（ここではスクリーン１８上）の表示用に、捕捉画像及びスケールＳを含む画像を生成する。
【００３２】
スケールＳは、捕捉画像に対する（及び従って支持体６及びブロッキング装置２２に対する）固定位置及び固定方位を有する。スケールＳは、特に基準点Ｐを含む。従って、基準点Ｐは、支持体６、機械的構造８、及びブロッキング装置２２に対して、決定された位置を有する。
【００３３】
基準点Ｐは、（ブロッキング装置２２が、レンズ２０に対して正確に配置されている場合に）レンズ２０におけるマークＭの１つと理論的に一致するはずである。しかしながら、基準点Ｐは、実際には、レンズ２０に対するブロッキング装置２２の間違った又は少なくとも不正確な位置決めゆえに、関係するマークＭから離れているように見える可能性がある。
【００３４】
可能な実施形態によれば、基準点Ｐを含むスケールＳは、ユーザインターフェース１２に表示される画像を生成するために、制御ユニット１０によって捕捉画像上に追加される仮想スケールである。
【００３５】
別の可能な実施形態によれば、基準点Ｐを含むスケールＳは、基準点Ｐを含むスケールＳが捕捉画像に含まれるように、支持体６に存在し（例えば、印刷されるか又は彫られる）、且つレンズ２０を通して目に見える。次に、ユーザインターフェース１２に表示するために制御ユニット１０によって生成される画像は、捕捉画像と同一であってもよい。この実施形態において、基準点は、（ブロッキング装置２２を保持するレンズ２０を横切って目に見えるように）機械的構造８の外部に置かれ、レンズ２０上のマークＭの理論的位置は、ブロッキング装置２２に面するレンズの領域の外部にある。
【００３６】
制御ユニット１０によって生成された画像は、ステップＳ６においてユーザインターフェース１２（ここではスクリーン１８）に表示される。
【００３７】
次に、制御ユニット１０は、基準点Ｐと、関係するマークＭとの間で（生成された画像における）距離Ｄを決定する（ステップＳ８）。
【００３８】
制御ユニット１０は、決定された距離Ｄを第１の所定の閾値Ｔ１と比較する（ステップＳ１０）。第１の所定の閾値Ｔ１は、文脈に依存して定義されてもよい。特に、第１の所定の閾値Ｔ１は、眼科レンズに関係するデータに基づいて（例えば、縁取り後のレンズの意図された幅及び高さに基づいて）、又は眼科レンズが、フレームに装着されることになる場合に、フレームに関係するデータ（フレームの縁の幅及び／若しくは高さなど）に基づいて、決定されてもよい。
【００３９】
距離Ｄが、第１の所定の閾値Ｔ１を超える場合に、方法は、以下で説明されるように、整列誤差を補正するために、ステップＳ１４に進む。
【００４０】
距離Ｄが、第１の所定の閾値Ｔ１未満である場合に、制御ユニット１０は、レンズ２０に対するブロッキング装置２２の正確な位置決めを確認するメッセージを表示するために、ユーザインターフェース１２（ここではスクリーン１８）を制御する（ステップＳ１２）。次に、方法は、以下で説明されるステップＳ３８に進む。
【００４１】
距離Ｄが、第１の所定の閾値Ｔ１を超える場合に、制御ユニット１０は、決定された距離Ｄを第２の所定の閾値Ｔ２と比較する（ステップＳ１４）。第２の所定の閾値Ｔ２は、第１の所定の閾値Ｔ１より高い。第１の所定の閾値Ｔ１と同様に、第２の所定の閾値Ｔ２は、文脈に依存してもよい。特に、第２の所定の閾値Ｔ２は、眼科レンズに関係するデータに基づいて（例えば、縁取り後のレンズの意図した幅及び高さに基づいて）、又は眼科レンズがフレームに装着されることになる場合に、フレームに関係するデータ（フレームの縁の幅及び／又は高さなど）に基づいて、決定されてもよい。
【００４２】
次に、制御ユニット１０は、ステップＳ１４の比較結果に依存して、位置補正提案を表示するために、ユーザインターフェース１２（ここではスクリーン１８）を制御する。
【００４３】
この場合に、位置補正提案は、自動位置補正用又は手動位置補正用の提案であってもよい。
【００４４】
正確には、距離Ｄが、ステップＳ１４において第２の所定の閾値Ｔ２未満である場合に、制御ユニット１０は、自動補正用の提案を表示するために、ユーザインターフェース１２を制御する（ステップＳ１６）。
【００４５】
ユーザが、（ステップＳ１８においてユーザインターフェース１２上の確認仮想ボタンを選択することによって）位置補正提案を受諾する場合に、方法は、自動補正用に以下で説明されるステップＳ２４に進む。
【００４６】
ユーザが、（ステップＳ１８においてユーザインターフェース１２上の拒否仮想ボタンを選択することによって）位置補正提案を拒否する場合に、方法は、ユーザが、位置補正方法を選択できるようにするために、以下で説明されるステップＳ２２に進む。
【００４７】
距離Ｄが、ステップＳ１４において第２の所定の閾値Ｔ２を超える場合に、制御ユニット１０は、手動補正用の提案を表示するために、ユーザインターフェース１２を制御する（ステップＳ２０）。
【００４８】
ユーザが、（ステップＳ２１においてユーザインターフェース１２上の確認仮想ボタンを選択することによって）位置補正提案を受諾する場合に、方法は、手動補正用の以下で説明されるステップＳ３２に進む。
【００４９】
ユーザが、（ステップＳ２１においてユーザインターフェース１２上の拒否仮想ボタンを選択することによって）位置補正提案を拒否する場合に、方法は、ユーザが、位置補正方法を選択できるようにするために、ステップＳ２２に進む。
【００５０】
正確には、ステップＳ２２において、制御ユニット１０は、位置補正方法を選択するために（ここでは自動位置補正方法及び手動位置補正方法の間で）、ユーザを意図した要求を表示するようにユーザインターフェース１２（ここではスクリーン１８）を制御する。
【００５１】
従って、ユーザは、方法がステップＳ２４に進むように、（ユーザインターフェース１２上の第１の仮想ボタンを選択することによって）自動位置補正方法を、又は方法がステップＳ３２に進むように、（ユーザインターフェース１２上の第２の仮想ボタンを選択することによって）手動位置補正方法をステップＳ２３において選択することができる。
【００５２】
ステップＳ２４において、制御ユニット１０は、位置補正用の行動提案を決定する。
【００５３】
位置補正行動提案Ｃは、この位置補正行動提案Ｃを適用した後で、関係するマークＭが、基準点Ｐに一層近くなるように、制御ユニット１０によって自動的に決定されてもよい。これは、実際には、画像認識アルゴリズム及び最適化方法を用いて実行されてもよい。幾つかのマークが用いられる場合の実施形態の幾つかにおいて、位置補正行動提案Ｃは、この位置補正行動提案Ｃを適用した後で、マークＭが、スケールＳ上の対応する点にそれぞれ一致するように、決定されてもよい。
【００５４】
次に、制御ユニット１０は、図４で見られるように、位置補正行動提案Ｃの表現を表示するために、ユーザインターフェース１２（ここではスクリーン１８）を制御する（ステップＳ２６）。本実施形態において、制御ユニット１０はまた、ユーザが、位置補正行動提案Ｃを受諾するかどうかを示すようにユーザに促すために、ユーザインターフェース１２（ここではスクリーン１８）を制御する（ステップＳ２８）。
【００５５】
ユーザが、（例えばユーザインターフェース１２上の受諾仮想ボタンを選択することによって）位置補正行動提案Ｃを受諾する場合に、制御ユニット１０は、位置補正行動提案Ｃを現在の位置補正行動として、制御ユニット１０のメモリに格納し（ステップＳ３０）、且つ以下で説明されるステップＳ３８に進む。
【００５６】
ユーザが、（例えばユーザインターフェース１２上の拒否仮想ボタンを選択することによって）位置補正行動提案Ｃを受諾しない場合に、制御ユニット１０は、位置補正提案行動Ｃをメモリに格納せずに、ステップＳ３８（又は可能な変形によれば、図２において点線で示されているようなステップＳ３２）に進む。
【００５７】
ステップＳ３２において、制御ユニット１０は、ユーザインターフェース１２（ここではキーボード１６又はマウス）における可能なユーザ入力を検出し、ユーザ入力は、ユーザによって意図された位置補正入力に対応する。
【００５８】
ユーザ入力は、実際には、平行移動補正及び／又は回転補正を定義する（図５に示されているようなユーザインターフェース１２上に表示された）仮想ボタンＢの選択であってもよい。このステップは、マークＭ及び基準点Ｐを含む、制御ユニット１０によって生成された画像が、ユーザインターフェース１２上に表示されている間に、行われてもよい。
【００５９】
ステップＳ３２はまた、（位置補正入力に基づいて実行され得る補正をシミュレートするために）位置補正入力に基づいて決定された移動によって、（マークＭの実際の位置に対して）シフトされる仮想位置におけるマークＭの表現を（ユーザインターフェース１２上に、且つ制御ユニット１０の制御下で）表示することを含んでもよい。
【００６０】
位置補正に帰着するかかるユーザ入力、及び対応する補正された（シフトされた）位置におけるマークＭの実時間の表示のおかげで、ユーザは、Ｍが、表示された画像上の基準点Ｐに一致するか又はそれに少なくとも一層近くなるまで、柔軟な方法で位置補正行動を調整し得る。
【００６１】
ユーザが現在の位置補正行動を受諾するかどうかを、ユーザが、（実際にはユーザインターフェース１２上の仮想ボタンを選択することによって）示す場合に、方法は、ステップＳ３４において継続する。
【００６２】
ユーザが、（ユーザインターフェース１２上に表示された受諾仮想ボタンを選択することによって）現在の位置補正行動を受諾する場合に、（ステップＳ３２においてユーザによって行われた位置補正入力に由来する）現在の位置補正行動は、最終位置補正行動、即ち以下で説明されるように縁取る場合に適用される位置補正行動として、制御ユニット１０のメモリに格納される（ステップＳ３６）。次に、制御ユニット１０は、ステップＳ３８に進む。
【００６３】
可能な実施形態によれば、最終位置補正行動は、レンズ２０に関連する（例えば保持される）ＲＦＩＤチップに格納されてもよい。かかるＲＦＩＤチップ（及びそこに記憶された位置補正行動）は、以下で説明されるように、縁取る場合に位置補正行動を考慮するために、縁取り機械によって読み取ることができる。
【００６４】
ユーザが、（ユーザインターフェース１２上に表示された拒否仮想ボタンを選択することによって）現在の位置補正を拒否する場合に、制御ユニット１０は、現在の位置補正を格納せずに、ステップＳ３８に進む。
【００６５】
ステップＳ３８において、制御ユニット１０は、縁取りプロセスを開始する。
【００６６】
ステップＳ３８は、例えば、（ブロッキング装置２２を備えた）レンズ２０を縁取り装置１４に配置するようにユーザに依頼する指示を（制御ユニット１０の制御下で）ユーザインターフェース１２上に表示することを含む。縁取り装置１４は、ブロッキング装置２２（及び従ってレンズ２０）が、縁取り装置１４に対して１つの位置及び１つの方位だけで装着され得るように、ブロッキング装置２２と協力するように適合される。
【００６７】
制御ユニット１０はまた、縁取りプロセスを開始するために、縁取り装置１４にコマンドを送信するように通信回路１５を制御してもよい。このコマンドは、縁取りされる輪郭を画定する輪郭データと、適用可能な場合に、制御ユニット１０のメモリに格納された位置補正行動を定義する追加データと、を含んでもよい。
【００６８】
次に、縁取り装置１４は、輪郭データに基づいて画定された輪郭に沿って、且つ追加データによって定義された位置補正を考慮に入れてレンズ２０を縁取りする（ステップＳ４０）。正確には、縁取り装置によって適用される輪郭は、追加データによって定義された位置補正行動に従って、（輪郭データによって画定された）求められた輪郭における点を平行移動し且つ／又は回転させることによって画定される。
【００６９】
従って、レンズ２０は、たとえブロッキング装置２２が、レンズ２０上の正しい正確な位置に配置されていない場合にさえ、レンズ２０が縁取りされるように計画された場合に、正確に縁取りすることができる。
【符号の説明】
【００７０】
２  チェック装置
４  画像センサ
６  支持体
８  機械的構造
１０  制御ユニット
１２  ユーザインターフェース
１４  装置
１５  通信回路
１６  キーボード
１８  スクリーン
２０  レンズ
２２  ブロッキング装置
【図１】
2020536267.tif 000003
【図２】
2020536267.tif 000004
【図３】
2020536267.tif 000005
【図４】
2020536267.tif 000006
【図５】
2020536267.tif 000007
【国際調査報告】
2020536267.tif 000008
2020536267.tif 000009
2020536267.tif 000010